(57)【特許請求の範囲】
【請求項１】
第１開口部と該第１開口部の反対側に第２開口部を有する硬質の筒体と、
該筒体内に配置され、測定者の上腕を挿入して血管を加圧するための空気袋と、
筒状に形成され一端部と他端部がリング状の保持部材により保持され、前記空気袋を覆う内布カバーとを有する腕帯部を有し、
さらに、前記筒体の前記第１開口部に着脱可能に装着され、前記内布カバーの一端部の前記保持部材を固定するリング状の第１キャップと、
前記筒体の前記第２開口部に着脱可能に装着され、前記内布カバーの他端部の前記保持部材を固定するリング状の第２キャップと
を具備し、
前記空気袋は、これを構成するためのシート体により中空の筒体となるようにされていて、
前記シート体は、展開状態において一方向に長い帯状のシートであり、該シートの長手方向に沿った折り返し線で二分される領域を互いに重ねて、内部に中空の気密空間を作るように前記折り返し線以外の外縁が接合されており、かつ前記展開状態において、前記折り返し線に関して、一側のシートに前記複数の折り線が形成されることにより、前記空気袋の内側に前記複数の折り線を備えることで、前記空気袋が該複数の折り線の箇所にて内側に曲折可能に形成されていて、
前記複数の折り線の間の領域に、計測用のマイクロフォンが配置されるように前記マイクロフォンの保持部が形成されており、
前記展開状態において、前記シートの前記折り返し線に関して、他側には、前記折り返し線に沿って折って重ねた際に、前記マイクロフォンと重なる個所に、弾性変形可能なスペーサが配置されている
ことを特徴とする電子血圧計。
【請求項２】
前記第１キャップと前記筒体にはそれぞれガイド部分が形成され、前記第１キャップを回転することで前記第１キャップの前記ガイド部分と前記筒体の前記ガイド部分を嵌め合わせて前記第１キャップを前記筒体に対して着脱可能に固定し、前記第２キャップと前記筒体にはそれぞれガイド部分が形成され、前記第２キャップを回転することで前記第２キャップの前記ガイド部分と前記筒体の前記ガイド部分を嵌め合わせて前記第２キャップを前記筒体に対して着脱可能に固定する構成とされたことを特徴とする請求項１に記載の電子血圧計。
【請求項３】
前記第１キャップの前記ガイド部分と前記筒体の前記ガイド部分の一方に形成された凸部と、前記凸部を嵌め込むために前記第１キャップの前記ガイド部分と前記筒体の前記ガイド部分の他方に形成された凹部とを有し、前記第２キャップの前記ガイド部分と前記筒体の前記ガイド部分の一方に形成された凸部と、前記凸部を嵌め込むために前記第２キャップの前記ガイド部分と前記筒体の前記ガイド部分の他方に形成された凹部とを有することを特徴とする請求項２に記載の電子血圧計。
【請求項４】
前記空気袋を保持する硬質の筒体を有する腕帯部と、前記空気袋に空気を送るポンプとを有する血圧計本体と、を有し、前記腕帯部と前記血圧計本体とは別体に形成されていることを特徴とする請求項１ないし３のいずれかに記載の電子血圧計。
【請求項５】
前記折り線は、前記空気袋の内側において、前記上腕を通す方向に沿って、かつ互いに所定間隔をあけて４つ設けられていることを特徴とする請求項１ないし５のいずれかに記載の電子血圧計。
【発明の詳細な説明】
【技術分野】
【０００１】
本発明は、電子血圧計に関し、特に血圧計本体から腕帯部を分離でき、血圧計本体の設置場所が測定者から離れていても、測定者は座位にて背を伸ばして腹圧の掛からない状態で測定が可能なタイプ（以下ではスル−インタイプと呼ぶ。）の電子血圧計に関するものである。
【背景技術】
【０００２】
近年、医療機関で行われている高血圧治療向けの血圧測定において、白衣性高血圧症による擬似高血圧が問題にされている。この擬似高血圧症の原因としては、病院内での医師の前での緊張、不安等の精神面での不安定が考えられている。これに対して、精神的に安定している家庭にて一人で測定した血圧値に注目が集まっている。このため、この家庭血圧測定に用いる一人で測定するタイプの電子血圧計が注目されている。
このタイプの血圧計で測定上問題となるのが、腕帯部の腕への装着の仕方である。腕帯部内の空気袋の位置が上腕に対して適当でない場合や、上腕に対して巻き付け強さが適当でない場合に、腕帯部の空気袋の圧迫が上腕に正しく行われず、血圧が高く測定される場合がある。近年、これを解決するために、筒状の腕帯部に腕を挿入するだけで、自動的に腕帯部の空気袋を腕の正しい位置に配置し、正しい巻き付け強さにて血圧測定を行うことができるようにした血圧計本体と腕帯部を一体とした電子血圧計（以降、アームインタイプと呼ぶ）が開発されている（特許文献１を参照）。
【０００３】
しかし、使用者が上記アームインタイプの血圧計を使用すると、腕を挿入する腕帯部が血圧計本体と一体となっているので、血圧計本体の位置が測定者から離れていた場合には、測定者は前かがみ状態での測定となり易い。このため、測定者の腹部が圧迫されて腹圧が上昇し、その結果、血圧が上昇する現象が見られる場合がある。この血圧上昇を、新たな擬似高血圧症の発生として、指摘されている。
そこで、このような擬似高血圧症の発生という不都合に対応するために、血圧計本体から腕帯部が分離できて、血圧計本体の設置場所が測定者から離れていても、測定者が座位にて背を伸ばした状態で腹圧の掛からない測定をすることが可能なタイプ（以降、スル−インタイプと呼ぶ）の電子血圧計が開発されている。このスルーインタイプの電子血圧計では、腕帯部内の空気袋に上腕を挿入して、その空気袋内に２つのポンプを用いて空気を供給し、そして空気の供給を停止してバルブを緩めながらマイクロフォンを用いて血管の脈波をマイクロフォンで取って最高血圧と最低血圧を検出している。
【先行技術文献】
【特許文献】
【０００４】
【特許文献１】特開２００５―２３７４２７号公報
【発明の概要】
【発明が解決しようとする課題】
【０００５】
上述したスル−インタイプの電子血圧計では、腕帯部は、本体ケースと、本体ケース内に配置された空気袋を有している。測定者は血圧測定時にこの空気袋内に上腕を通して空気袋に空気を入れて血管を圧迫し、血圧測定後は上腕を空気袋内から引き出す。
従って、空気袋が上腕に直接触れないようにすることと、上腕を空気袋内に挿入したり引き出す際に上腕の移動につられて空気袋が移動しないようするために、本体ケース内には空気袋を覆う内布カバーを配置する。
しかし、上腕が移動してもこの内布カバーは本体ケース内においてはずれてしまわないように確実に固定する必要がある。また、内布カバーの交換が容易にできることが望ましい。
そこで、上記課題を解消するために、本発明は、内布カバーを本体ケース内に確実に固定でき、内布カバーの交換が容易にできる電子血圧計を提供することを目的とする。
【課題を解決するための手段】
【０００６】
本発明の電子血圧計は、第１開口部と前記第１開口部と反対側に第２開口部を有する硬質の筒体と、該筒体内に配置され、測定者の上腕を挿入して血管を加圧するための空気袋と、筒状に形成され一端部と他端部がリング状の保持部材により保持され、前記空気袋を覆う内布カバーを有する腕帯部と、前記筒体の前記第１開口部に着脱可能に装着され、前記内布カバーの一端部の前記保持部材を固定するリング状の第１キャップと、前記筒体の前記第２開口部に着脱可能に装着され、前記内布カバーの他端部の前記保持部材を固定するリング状の第２キャップとを具備することを特徴とする。
上記構成によれば、前記各保持部材が、前記内布カバーの前記第１キャップと第２キャップをそれぞれ固定できるので、内布カバーを本体ケース内に確実に固定でき、内布カバーの交換が容易にできる。
【０００７】
好ましくは、前記第１キャップと前記筒体にはそれぞれガイド部分が形成され、前記第１キャップを回転することで前記第１キャップの前記ガイド部分と前記筒体の前記ガイド部分を嵌め合わせて前記第１キャップを前記筒体に対して着脱可能に固定し、前記第２キャップと前記筒体にはそれぞれガイド部分が形成され、前記第２キャップを回転することで前記第２キャップの前記ガイド部分と前記筒体の前記ガイド部分を嵌め合わせて前記第２キャップを前記筒体に対して着脱可能に固定する構成とされたことを特徴とする。
上記構成によれば、第１キャップを回転するだけで第１キャップと筒体は簡単に固定できるとともに、第２キャップを回転するだけで第２キャップと筒体も簡単に固定できる。
【０００８】
好ましくは、前記第１キャップの前記ガイド部分と前記筒体の前記ガイド部分の一方に形成された凸部と、前記凸部を嵌め込むために前記第１キャップの前記ガイド部分と前記筒体の前記ガイド部分の他方に形成された凹部とを有し、前記第２キャップの前記ガイド部分と前記筒体の前記ガイド部分の一方に形成された凸部と、前記凸部を嵌め込むために前記第２キャップの前記ガイド部分と前記筒体の前記ガイド部分の他方に形成された凹部とを有することを特徴とする。
上記構成によれば、第１キャップと筒体は凸部と凹部により簡単にしかも確実に固定できるとともに、第２キャップと筒体も凸部と凹部により簡単に固定できる。
【０００９】
好ましくは、前記空気袋を保持する硬質の筒体を有する腕帯部と、前記空気袋に空気を送るポンプとを有する血圧計本体と、を有し、前記腕帯部と前記血圧計本体とは別体に形成されていることを特徴とする。
上記構成によれば、血圧計本体から腕帯部を離して使用できるので、測定者は座位にて背を伸ばして腹圧の掛からない状態で測定できる。
【発明の効果】
【００１０】
本発明によれば、内布カバーを本体ケース内に確実に固定でき、内布カバーの交換が容易にできる電子血圧計を提供することができるとともに、腕帯を持ち上げて腕を入れるだけの簡単操作で、お腹を圧迫することなくリラックスした正しい測定姿勢をとることができる。
【図面の簡単な説明】
【００１１】
【図１】本発明の電子血圧計の好ましい実施形態を前側から示す斜視図である。
【図２】電子血圧計を後側から示す斜視図である。
【図３】図３（Ａ）は、電子血圧計の腕帯部と血圧計本体を分離した状態を示す斜視図であり、図３（Ｂ）は、腕帯部に測定者の上腕を挿入した状態を示す斜視図である。
【図４】腕帯部の構造例を示す斜視図である。
【図５】腕帯部の内部構造例を示す断面図である。
【図６】図６（Ａ）は、外布と空気袋のユニットＵＴを示す斜視図であり、図６（Ｂ）は、このユニットＵＴを別の方向から見た斜視図であり、図６（Ｃ）は、ユニットＵＴを折りたたんだ状態を示す斜視図である。
【図７】図７（Ａ）は、空気袋とマイクを示す斜視図であり、図７（Ｂ）は、空気袋と外布と内布カバーと、マイクを示す図である。
【図８】空気袋を形成するシート例を示す図である。
【図９】空気袋を形成する工程例を示す図である。
【図１０】空気袋の内面が測定者の被測定面を当接している様子を示す図である。
【図１１】電子血圧計のブロック構成図である。
【図１２】本体ケースの第２開口部側を示す斜視図である。
【図１３】図１３（Ａ）は、本体ケースの第２周囲部分の形状を示し、図１３（Ｂ）は、第２キャップの形状を示す図である。
【図１４】図１３（Ｂ）に示す第２キャップを図１３（Ａ）に示す第２周囲部分に対して装着した状態を示す図である。
【図１５】本体ケースの第２周囲部分の内周面の円弧状の縁部分と、第２キャップの突出部分を代表して示す図である。
【図１６】図１６（Ａ）は、本体ケースの第１周囲部分の形状を示し、図１６（Ｂ）は、第１キャップの形状を示す図である。
【図１７】図１６（Ｂ）に示す第１キャップを図１６（Ａ）に示す本体ケースの第１周囲部分に対して装着した状態を示す図である。
【図１８】本体ケースの第１周囲部分の内周面の円弧状の縁部分と、第１キャップの突出部分を代表して示す図である。
【発明を実施するための形態】
【００１２】
以下に、本発明の好ましい実施形態を、図面を参照して詳しく説明する。
図１は、本発明の電子血圧計の好ましい実施形態を前側から示す斜視図であり、図２は、この電子血圧計を後側から示す斜視図である。図３（Ａ）は、電子血圧計の腕帯部と血圧計本体を分離した状態を示す斜視図であり、図３（Ｂ）は、腕帯部に測定者の上腕を挿入した状態を示す斜視図である。
図１〜図３に示す電子血圧計１は、自動電子血圧計ともいい、血圧計本体１０から腕帯部２を分離でき、血圧計本体１０の設置場所が測定者から離れていても、測定者は座位にて背を伸ばして腹圧の掛からない状態で測定が可能なタイプ（以下では、スル−インタイプと呼ぶ。）の電子血圧計である。この電子血圧計１は、血圧測定方式の一例としてリバロッチ・コロトコフ法が用いられ、コロトコフ音（Ｋ音）を検出して血圧測定を行う装置である。図１〜図３に示すように、電子血圧計１は、腕帯部２と、血圧計本体１０を備える。腕帯部２と血圧計本体１０は別体であり、図３に示すように腕帯部２が血圧計本体１０に固定できるとともに、腕帯部２が血圧計本体１０から分離可能に形成されている。
【００１３】
図３（Ｂ）に示すように、この電子血圧計１は、測定者の上腕Ｔを腕帯部２の第１開口部１１Ｐから、Ｄ１方向に沿って挿入して血圧を測定するスルーイン式の血圧計である。腕帯部２と血圧計本体１０とは有線（電気信号線）３により電気的に接続され、しかも腕帯部２と血圧計本体１０とがエアーの給排気路であるフレキシブルなチューブ４により接続されている。
【００１４】
まず、図１〜図３を参照して、血圧計本体１０の構造について説明する。
図１に示すように、血圧計本体１０は、ケーシング３０と表示部３１を有している。ケーシング３０は、例えばプラスチック製の薄型の内部空間を有する部材であり、傾斜した上面部３２と、前端面部３３と後端面部３４と、側面部３５，３６と、底面部４２を有している。
図１に示すように、ケーシング３０の上面部３２には、傾斜した表示部３１が配置されており、測定者が表示部３１の表示内容を容易に確認できるようになっている。ケーシング３０には、測定開始操作部の一例としての開始／停止ボタン３７と、メモリ呼び出し・時刻・アラーム設定ボタン３８と、モード選択ボタン３９と、窪み部分４０が設けられている。測定者が開始／停止ボタン３７を押すことで、血圧測定操作の開始あるいは停止をするためのボタンである。
【００１５】
図１において、時刻を設定する場合には、例えば、メモリ呼び出し・時刻・アラーム設定ボタン３８とモード選択ボタン３９を同時に長押しすることで、操作・設定・入力機能として作用させることにより、表示部３１には時刻設定画面が表示され、時刻設定画面に表示されている時刻は、メモリ呼び出し・時刻・アラーム設定ボタン３８で選択しながら設定することができる。
【００１６】
また、図１において、例えばメモリ呼び出し・時刻・アラーム設定ボタン３８を押すことにより、過去の例えば１００件の血圧測定記録を表示部３１に表示できる。表示部３１に表示される各件の最高血圧値、最低血圧値、脈拍数、日時が、メモリ呼び出し・時刻・アラーム設定ボタン３８を押す毎に順番に表示できる。
【００１７】
図３に示すように、ケーシング３０の上面部３２の中央部分には、Ｙ方向に沿って窪み部分４０が形成されている。窪み部分４０は、ケーシング３０の中央部分から後端面部３４にかけて形成されており、窪み部分４０は半円形状部分４０Ｐと長方形状部分４０Ｒを有し、この窪み部分４０の半円形状部分４０Ｐの中央部には、円形状の開始／停止ボタン３７が配置されている。窪み部分４０の長方形状部分４０Ｒには、溝部分４１が形成されている。
【００１８】
図３に示すように、ケーシング３０には、窪み部分４０の開始／停止ボタン３７と溝部分４１の付近にマグネット４０Ｍが配置されている。このマグネット４０Ｍは例えば長方形状の板状の永久磁石であるが、特に形状に限定されず、円形状あるいは楕円形状等であっても良い。また、マグネット４０Ｍは、ケーシング３０の外側に露出していても良い。
図３の窪み部分４０と前端面部３３の間には、表示部３１がＸ方向に沿って配置されている。この表示部３１は、例えば液晶表示装置を用いることができ、一例として図１に示すように、表示部３１は、最高血圧値、最低血圧値、脈拍数、脈圧、測定動作中の表示マーク、電池交換の表示マーク等の各種の測定値等を表示することができる。
【００１９】
図１と図２に示すように、測定者が血圧計本体１０を持ち易いようにするために、側面部３５，３６は曲面状に形成されている。メモリ呼び出し・時刻・アラーム設定ボタン３８とモード選択ボタン３９は、上面部３２の表示部３１の付近に配置されている。図１に示すように、ケーシング３０の内部には、スピーカ４３と、２つのポンプ（第１ポンプ）４４とポンプ（第２ポンプ）４５と、排気バルブ４６と、制御バルブ４７と、制御システムを含む回路基板４８と、メモリ部６９が配置されている。スピーカ４３は、音声によるガイドや音楽によるガイドを出力するために設けられている。
【００２０】
次に、図１〜図３と、図４と図５を参照して、腕帯部２の構造について説明する。
図４は、腕帯部２の構造例を示す斜視図である。図５は、腕帯部２の内部構造例を示す断面図である。
図３（Ｂ）に示すように、腕帯部２は、血圧測定時に測定者の上腕Ｔを挿入して圧迫するために、図１と図２に示すように上腕Ｔに差し込むことが可能な両端部が切れた略円筒状構造（筒体）を有している。これにより、この腕帯部２は、通常の腕帯部と異なり測定者の上腕Ｔに対して巻き付ける必要が無く、左右のいずれの上腕Ｔへの挿入が可能で、測定者は容易に血圧測定ができる。
【００２１】
図４と図５に示すように、腕帯部２は、硬質の本体ケース１１と、空気袋（カフともいう）１４と、外布１６と、内布カバー１７Ｃを有している。腕帯部２の総重量は３３０ｇ〜４１０ｇが好ましく、高齢者の方でも片手で容易に操作できるように軽量化されている。
図４と図５に示す本体ケース１１は、例えばプラスチックにより形成され略円筒状構造を有しており、第１開口部１１Ｐと第２開口部１１Ｒを有している。図１に示すように、本体ケース１１は、Ｄ１方向に向かって先細りになるように形成され、第１開口部１１Ｐの直径Ｌ１は第２開口部１１Ｒの直径Ｌ２よりも大きい。例えば、Ｌ１は１３８ｍｍ〜１４２ｍｍ、Ｌ２は１２６ｍｍ〜１３０ｍｍが好ましく、本体ケース１１の厚みは、２〜３ｍｍが好ましい。この寸法は、測定者の上腕挿入に適した寸法であり、本体ケース１１は、およそ９割以上の一般の測定者の血圧測定に適合した形状となっている。また、本体ケース１１は、第２開口部１１Ｒ側に例えばほぼ扇型の把持部１１Ｈを有している。
例えば、図５に示す左腕の上腕ＴをＤ１方向に挿入孔７７に対して挿入し、あるいは逆方向に上腕Ｔを外す動作は、右手でこの把持部１１Ｈを持って行うことができる。また、右腕の上腕ＴをＤ１方向に挿入穴７７に挿入し、あるいは逆方向に上腕Ｔを外す動作は、左手でこの把持部１１Ｈを持って行うことができる。これにより、測定者は左右いずれの上腕Ｔに対しても、腕帯部２の装着動作あるいは取り外し動作を容易に行うことができる。
図４と図５に示すように、本体ケース１１の第１開口部１１Ｐの第１周囲部分３４９には、リング状の第１キャップ４００が着脱可能に取り付けられている。同様にして、本体ケース１１の第２開口部１１Ｒの第２周囲部分３５０には、リング状の第２キャップ５００が着脱可能に取り付けられている。第１キャップ４００の直径は第２キャップ５００の直径に比べて大きい。図４に示すように、第１キャップ４００は円形の穴４０１を有するリング状部材であり、第２キャップ５００は円形の穴５０１を有するリング状部材である。
【００２２】
図１と図３に示すように、本体ケース１１の下側部分には、磁気吸着用部材の一例としての磁気吸着用のプレート部材２１０が設けられている。このプレート部材２１０は、例えば金属板であり、本体ケース１１の軸方向に沿って長くなるように形成され、血圧計本体１０のマグネット４０Ｍにより磁気的に吸着されるようになっている。このプレート部材２１０とマグネット４０Ｍは、腕帯部２を血圧計本体１０に固定（あるいは結合）するための固定手段２５０を構成している。
【００２３】
この固定手段２５０は、腕帯部２を血圧計本体１０から持ち上げる時に、血圧計本体１０と腕帯部２との結合力が解除される程度の力を有している。これにより、測定者が血圧測定をしない場合には腕帯部２が血圧計本体１０からは簡単に転がってしまうことがなく、また測定者が血圧測定をしようとする場合には、腕帯部２が血圧計本体１０から取りづらくなるということが無くなる。これにより、腕帯部２が血圧計本体１０と別体になっていても、使用勝手が良い。
さらに好ましくは、このマグネット４０Ｍがプレート部材２１０を磁気的に吸着する力は、例えば血圧計本体１０の重量を超えるように設定することができる。これにより、測定者が電子血圧計１を運ぶ際に、測定者が血圧計本体１０を持たずに腕帯部２だけを持ち上げてしまった場合に、腕帯部２から血圧計本体１０だけが不用意に落下することを防止できる。
【００２４】
また、すでに説明したように、プレート部材２１０は、本体ケース１１の軸方向に沿って長くなるように形成されているので、腕帯部２は、血圧計本体１０に対して、磁気的吸引力を維持しながら、血圧計本体１１の窪み部分４０に沿ってＹ方向に移動可能である。これにより、測定者が腕帯部２を血圧計本体１０に対して、磁気的吸引力を維持しながらＹ方向に移動できるので、腕帯部２が表示部３１に被さった状態から腕帯部２を後退させて、表示部３１が腕帯部２により見えなくなってしまうという不都合を解消できる。このため、測定者は表示部３１の表示内容を容易に確認でき、使用勝手が向上する。
【００２５】
さらに、図１に示すように、腕帯部２が血圧計本体１０の窪み部分４０に配置されている収納状態では、開始／停止ボタン３７が腕帯部２の下部にある。つまり、腕帯部２が収納されている状態では、測定者は開始／停止ボタン３７を押せないようになっている。そして、測定者が腕帯部２を血圧計本体１０の窪み部分４０から磁気的吸着力に抗して取り外せば、開始／停止ボタン３７が露出するので、測定者はこの開始／停止ボタン３７を押すことができる。
【００２６】
図４と図５に示す空気袋１４は、例えば、塩化ビニル，ウレタン、合成ゴム，天然ゴム等の伸縮性を有する材質で形成されている。空気袋１４内へは、図１に示す血圧計本体１０内の破線で示す第１ポンプ４４と第２ポンプ４５の作動により、チューブ４を通じてエアーを供給されることにより膨張することで上腕Ｔを圧迫する。空気袋１４の内圧を一定速度で減圧するため、制御バルブ４７により空気袋１４内からエアーを徐々に外へ排気でき、測定を終了したときに、排気バルブ４６により空気袋１４内からエアーを外へ急排気できる。この空気袋１４の詳しい構造については、後で説明する。
【００２７】
図４と図５に示す外布１６は、空気袋１４の外側と本体ケース１１の内側の間に配置され、変形可能で伸縮性が無い布部材である外側部材に相当する。図４と図５に示す内布カバー１７Ｃは、カフリングともいい、空気袋１４の内側を覆うことができ、この内布カバー１７Ｃを配置することで、測定者は上腕をスムーズに挿入したり引き出したりできる。内布カバー１７Ｃは、上述した空気袋１４の内側に着脱可能に配置でき、伸縮性を有する布部分１７Ｄと、布部分１７の両端部を保持する保持部材としての２つのＯ−リング状のリング部材１７Ｆ、１７Ｇを有している。この布部分１７Ｄの一端部はリング部材１７Ｆに保持され、布部分１７Ｄの他端部はリング部材１７Ｇに保持されている。リング部材１７Ｆ、１７Ｇは、内布カバー１７Ｃの保持部材であり、例えばプラスチックあるいは金属製である。布部分１７Ｄは、長さ方向と円周方向にいずれにも伸縮可能なナイロン、スパンデックス等のすべり性のあるストレッチ素材で形成されている。
図５に示すように、第１キャップ４００は、本体ケース１１の第１開口部１１Ｐの第１周囲部分３４９に対して着脱可能に固定することで、内布カバー１７Ｃのリング部材１７Ｆが本体ケース１１内で移動しないようにリング部材１７Ｆを保持することができる。同様にして、第２キャップ５００は、本体ケース１１の第２開口部１１Ｒの第２周囲部分３５０に対して着脱可能に固定することで、内布カバー１７Ｃのリング部材１７Ｇが本体ケース１１内で移動しないようにリング部材１７Ｇを保持することができる。これにより、内布カバー１７Ｃ内に測定者の上腕をＤ１方向に挿入し、しかもＤ１方向とは逆のＤ２方向に引き抜いても、内布カバー１７Ｃのリング部材１７Ｆ、１７Ｇは、本体ケース１１内で移動しないようになっている。従って、内布カバー１７は空気袋１４を常に被覆した状態を維持できる。
また、使用した内布カバー１７Ｃを洗濯したり、使用した内布カバー１７Ｃと新しい内布カバーに交換するために、内布カバー１７Ｃは、本体ケース１１内から取り外せることが望ましい。そこで、内布カバー１７Ｃを本体ケース１１内から取り出す際には、第１キャップ４００を第１開口部１１Ｐの第１周囲部分３４９から取り外し、第２キャップ５００を第２開口部１１Ｒの第２周囲部分３５０から取り外すことで、内布カバー１７Ｃは本体ケース１１内から簡単に取り外すことができる。
ここで、上述した第１キャップ４００と第２キャップ５００の詳しい構造例を説明する。
最初に、図１２〜図１５を参照して、第２キャップ５００の取り付け構造について説明する。
図１２は、本体ケース１１の第２開口部１１Ｒ側を示す斜視図であり、図１２（Ａ）には、第２開口部１１Ｒの第２周囲部分３５０に対して第２キャップ５００が着脱可能に取り付けられている状態を示し、図１２（Ｂ）には、第２周囲部分３５０から第２キャップ５００が取り外された状態を示している。ただし、図１２（Ｂ）では、理解し易いようにするために、第２キャップ５００のガイド部材５３０が破線で図示されている。
図１３（Ａ）は、第２開口部１１Ｒの第２周囲部分３５０の形状を示し、図１３（Ｂ）は、第２キャップ５００の形状を示している。
図１２（Ｂ）と図１３（Ａ）に示すように、第２周囲部分３５０の内周面には、例えば３つの円弧状のガイド部分５１１が同じ角度をおいて、中心ＣＬに向けて突出して形成されている。３つのガイド部分５１１の内側には、それぞれ嵌め合い用の凹部５２０が形成されている。３つのガイド部分５１１の間には、第２周囲部分３５０に沿って隙間５１３がそれぞれ形成されている。
一方、図１３（Ｂ）に示すように、リング状の第２キャップ５００は、円形の穴５０１を有し、３つの円弧状のガイド部分５３０が同じ角度をおいて、中心ＣＬに向けて突出して形成されている。３つのガイド部分５３０の外側には、それぞれ嵌め合い用の凸部５５０が形成されている。各凸部５５０は、図１３（Ａ）に示す凹部５２０に嵌め込むようになっている。図１３（Ｂ）に示す第２キャップ５００を図１３（Ａ）に示す第２周囲部分３５０に対して装着する際には、３つのガイド部分５３０は、図１３（Ａ）に示す隙間５１３に挿入できるようになっている。
図１４は、図１３（Ｂ）に示す第２キャップ５００を図１３（Ａ）に示す第２周囲部分３５０に対して装着した状態を示す図である。図１５は、第２周囲部分３５０の内周面の円弧状のガイド部分５１１と、第２キャップ５００のガイド部分５３０を代表して示している。
図１５（Ａ）では、第２キャップ５００のガイド部分５３０が、第２周囲部分３５０の隙間５１３に位置されているが、ガイド部分５３０の凸部５５０はガイド部分５１１の凹部５２０には嵌め込まれていない状態を示している。
図１５（Ｂ）では、測定者が第２キャップ５００を、図１４においてＧ１方向（時計方向）に回転することで、ガイド部分５３０の外面側がガイド部分５１１の内面側に摺動しながら案内されて、ガイド部分５３０の凸部５５０がガイド部分５１１の凹部５２０に嵌め込まれた状態を示している。これにより、第２キャップ５００は、第２周囲部分３５０に対して、中心ＣＬ方向に沿って押し付けられながら、簡単にしかも確実に着脱可能に固定できる。
第２キャップ５００を第２周囲部分３５０から取り外す場合には、測定者が第２キャップ５００を図１４に示すＧ２方向（反時計方向）に回転することで、ガイド部分５３０の外面側はガイド部分５１１の内面側に摺動しながらガイドされて、ガイド部分５３０の凸部５５０をガイド部分５１１の凹部５２０から外してガイド部分５３０を隙間５１３に位置させることができる。これにより、第２キャップ５００と第２周囲部分３５０との係合状態を解除できるので、第２キャップ５００は第２周囲部分３５０から簡単に外すことができる。
図１５に示すように、３つの固定部５６０が第２周囲部分３５０の内側において同じ角度をおいて形成されている。図４に示す内布カバー１７Ｃのリング部材１７Ｇは、図１５（Ａ）に示すように、第２キャップ５００のガイド部分５３０と第２周囲部分３５０の固定部５６０との間に挟み込むことで固定できる。これにより、測定者が第２キャップ５００を第２周囲部分３５０に対して回転して固定することで、内布カバー１７Ｃのリング部材１７Ｇを第２周囲部分３５０の内側に固定できる。
次に、図１６〜図１８を参照して、第１キャップ４００の取り付け構造について説明する。
図１６（Ａ）は、第１周囲部分３４０の形状を示し、図１６（Ｂ）は、第１キャップ４００の形状を示している。
図１６（Ａ）と図１７に示すように、第１周囲部分３４９の内周面には、例えば３つの円弧状のガイド部分４１１が同じ角度をおいて、中心ＣＬに向けて突出して形成されている。３つのガイド部分４１１の内側には、それぞれ嵌め合い用の凹部４２０が形成されている。３つのガイド部分４１１の間には、第１周囲部分３４０に沿って隙間４１３が形成されている。
一方、図１６（Ｂ）に示すように、リング状の第１キャップ４００は、円形の穴４０１を有し、３つの円弧状のガイド部分４３０が同じ角度をおいて、中心ＣＬに向けて突出して形成されている。３つのガイド部分４３０の外面側には、それぞれ嵌め合い用の凸部４４０が形成されている。各凸部４４０は、図１６（Ａ）に示す凹部４２０に嵌め込むようになっている。図１６（Ｂ）に示す第１キャップ４００を図１６（Ａ）に示す第１周囲部分３４０に対して装着する際には、３つのガイド部分４３０は、図１６（Ａ）に示す隙間４１３に挿入できるようになっている。
図１７は、図１６（Ｂ）に示す第１キャップ４００を図１６（Ａ）に示す第１周囲部分３４０に対して装着した状態を示す図である。図１８は、第１周囲部分３４０の内周面の円弧状のガイド部分４１１と、第１キャップ４００のガイド部分４３０を代表して示している。
図１８（Ａ）では、第１キャップ４００のガイド部分４３０が、第１周囲部分３４９の隙間４１３に位置されているが、ガイド部分４３０の凸部４４０はガイド部分４１１の凹部４２０には嵌め込まれていない状態を示している。図１８（Ｂ）では、第１キャップ４００が図１８においてＧ１方向（時計方向）に回転されて、ガイド部分４３０の外面側がガイド部分４１１の内面側に摺動しながら案内されて、ガイド部分４３０の凸部４４０がガイド部分４１１の凹部４２０に嵌め込まれた状態を示している。これにより、第２キャップ４００は第２周囲部分３４０に対して、中心ＣＬ方向に沿って押し付けられながら、簡単にしかも確実に着脱可能に固定できる。
第１キャップ４００を第１周囲部分３４９から取り外す場合には、測定者が第１キャップ４００を図１４に示すＧ２方向（反時計方向）に回転することで、ガイド部分４３０の外面側はガイド部分４１１の内面側に摺動しながらガイドされて、ガイド部分４３０の凸部４４０をガイド部分４１１の凹部４２０から外してガイド部分４３０を隙間４１３に位置させることができる。これにより、第１キャップ４００と第１周囲部分３４９との係合状態を解除できるので、第１キャップ４００は第１周囲部分３４９から簡単に外すことができる。
図１８に示すように、３つの固定部４６０が第１周囲部分３４０の内側において同じ角度をおいて形成されている。図４に示す内布カバー１７Ｃのリング部材１７Ｆは、第１キャップ４００のガイド部分４３０と固定部４６０との間に挟み込むことで固定できる。これにより、測定者が第１キャップ４００を第１周囲部分３４０に対して回転して固定することで、内布カバー１７Ｃのリング部材１７Ｆを第１周囲部分３４０の内側に固定できる。
【００２８】
図６（Ａ）は、外布１６と空気袋１４のユニットＵＴを示す斜視図であり、図６（Ｂ）は、このユニットＵＴを別の方向から見た斜視図であり、図６（Ｃ）は、ユニットＵＴを折りたたんだ状態を示す斜視図である。
図６（Ａ）と図６（Ｂ）に示すように、ユニットＵＴは４つに折り曲げてほぼ正方形断面の開口部Ｇを形成することができる。ユニットＵＴは４つの折り曲げ部分２００を有していることにより、図６（Ｃ）に示すように簡単に折りたたむことができる構造である。
図７（Ａ）は、空気袋１４とマイクロフォンＭを示す斜視図であり、図７（Ｂ）は、空気袋１４と外布１６と内布カバー１７Ｃと、マイクロフォンＭを示す図である。図７に示すように、２つのマイクロフォンＭが空気袋１４に取り付けられ、２つのマイクロフォンＭは互いに向かい合っている。
【００２９】
ここで、空気袋１４の構造例を説明する。
図８は、空気袋１４を形成するためのシート例を示している。
図８に示すシートＳＷは、ほぼ長方形状の例えば透明のプラスチックシートであり、伸縮性を備えていない例えばほぼ長方形状のプラスチック製のシート、一例としてポリウレタンシートにより形成されている。このシートＳＷは、フィルタ付き接続管２２０、コードフック２２１、４つの折れ線部分２２２、接合部分２２３，２２４、２つのマイクロフォン保持部２２５を有している。
接続管２２０は、図１に示すチューブ４の端部を接続する。コードフック２２１は、図１に示す有線３とチューブ４を掛ける。接合部分２２３，２２４は熱圧着により空気袋１４を形成する。マイクロフォン保持部２２５はそれぞれマイクロフォンＭを保持できる。シートＳＷは４つの折れ線部分２２２の部分で折り曲げることにより、図７に示す形状の空気袋１４を形成できる。
【００３０】
図９は、空気袋１４を形成する工程例を示している。図１０は、空気袋１４の内面が測定者の被測定面ＨＭを当接している様子を示す図である。
図９（Ａ）に示すように、シートＳＷは、折り曲げ線２２６，２２７で折り曲げて，図９（Ｂ）に示すように接合部分２２３，２２４を接合する。そして、図９（Ｃ）に示すように、４つの折れ線部分２２２で折り曲げることで空気袋１４が完成する。この空気袋１４は、４つの側面部２３１，２３２，２３３，２３４を備える。
なお、図８（Ｂ）に示すように、この空気袋１４内には、間隔をおいて３つのスペーサ２４０が配置されている。このスペーサ２４０は、弾性変形可能な直方体形状の部材であり、例えばプラスチックスポンジ等である。これにより、スペーサ２４０が配置されていることで、空気袋１４が必要以上につぶれてしまうのを防止できる。
また、図８（Ｂ）と図１０に示すように、空気袋１４の幅Ｗは、好ましくは１２ｃｍ以上である。空気袋１４の内側が測定者の被測定面ＨＭに対して少なくとも８ｃｍ以上当接していないと正しい血圧測定ができないので、８ｃｍ以上接しているためには、空気袋１４の幅Ｗは１２ｃｍ以上必要である。
【００３１】
次に、図１１は、図１の電子血圧計１のブロック構成図である。
図１１に示す電子血圧計１の回路ブロックを説明する。電子血圧計１の回路ブロックを示している。電子血圧計１の回路ブロックの破線で示すように、血圧計本体１０は、コロトコフ音（Ｋ音）検出システム５０と、加圧システム５１と、排気システム５２と、圧力検出システム５３と、電源システム５４と、音声システム５５と、制御システム５６を有する。
【００３２】
制御システム５６は、表示部３１の駆動部５８と、タイマ５９と、メモリ部６９等を有する。表示部３１の駆動部５８は、表示部３１を駆動制御して表示すべき項目を表示させる。メモリ部６９は、制御システム５６のＣＰＵ（中央処理部）により処理すべきプログラムが記憶されているＲＯＭ（読み出し専用メモリ）である。タイマ５９は、各種の動作の時間のカウントを行う。操作部５７は、制御システム５６に電気的に接続されており、すでに説明した開始／停止ボタン３７と、メモリ呼び出し・時刻・アラーム設定ボタン３８と、モード選択ボタン３９を有している。
【００３３】
図１１のコロトコフ音（Ｋ音）検出システム５０は、腕帯部２の２つのマイクロフォンＭと、Ｋ音検出回路部６０と、ノイズセンサ１５と、ノイズセンサ検出回路部６１を有している。２つのマイクロフォンＭは、Ｋ音検出回路部６０を介して制御システム５６に電気的に接続されている。図１に示すように、２つのマイクロフォンＭは、開口部１６に対して互いに対向した位置（上腕Ｔの動脈に近い位置と遠い位置）に配置されている。
【００３４】
図１１の２つのマイクロフォンＭは、測定者の血流音（血管情報）を検知し、Ｋ音検出回路部６０はこの血流音からＫ音を検出して制御システム５６にＫ音信号を伝える。制御システム５６は、入力されたＫ音信号からコロトコフ音と、このコロトコフ音の発生ポイントと、消滅ポイントを検出する。ノイズセンサ１５は、外部からマイクロフォンＭに入る振動ノイズを検知して、ノイズセンサ検出回路部６１を介して制御システム５６にノイズ信号を送る。これにより、制御システム５６は、Ｋ音信号からノイズを除去することで、Ｋ音検出信号の精度を高めている。
【００３５】
制御部としての制御システム５６は、Ｋ音信号を検出する。すなわち、加圧して血管内の血流を止めた後に減圧し、再び血流が流れる時の最初のＫ音信号が検出された時点の圧力を最高血圧値に設定し、更に減圧を続けて血管の管路断面積が十分に拡がり、Ｋ音信号が検出されなくなったら、最後のＫ音信号が検出された時点の圧力を最低血圧値に設定する。また、制御システム５６は、最高血圧値と最低血圧値から得られる血管脈動またはＫ音信号の出現間隔から脈拍数を演算する。
図１１に示す圧力検出システム５３は、配管部６３と、圧力センサ６４と、チューブ４を有している。圧力センサ６４は、アンプ６５（ここではアンプ６５は、フィルタ、積分Ａ／Ｄ部も含んでいる）を介して制御システム５６に電気的に接続されている。
【００３６】
加圧システム５１は、第１ポンプ４４と第２ポンプ４５と、第１ポンプ４４と第２ポンプ４５の駆動部６２を有する。制御システム５６の指令により、例えば駆動部６２は、第１ポンプ４４をＰＷＭ（パルス幅制御）制御により回転数の駆動制御をするとともに、第２ポンプ４５をＰＷＭ（パルス幅制御）制御により回転数の駆動制御をすることができる。このように、第１ポンプ４４と第２ポンプ４５は、駆動部６２によりそれぞれ別々に駆動制御できるようになっている。
第１ポンプ４４と第２ポンプ４５は、圧力検出システム５３の配管部６３を通じて腕帯部２の空気袋１４内に接続されている。
電子血圧計１では、腕帯部２内を第１ポンプ４４と第２ポンプ４５で加圧した後、微速度で排気して減圧しつつ圧力センサ６４を用いて腕帯部２の空気袋内の圧力を検出すると同時に、マイクロフォンＭを用いてコロトコフ音（Ｋ音）を検出する。そして、電子血圧計１は、Ｋ音信号と、このＫ音信号の発生ポイントと消滅ポイントを検出することで、最高血圧値と最低血圧値を算出して、算出した最高血圧値と最低血圧値を表示部３１に表示できる。
【００３７】
次に、排気システム５２について説明する。排気システム５２は、２つの駆動部６６，６７と、排気バルブ（強制排気部）４６と、制御バルブ（減圧制御部）４７を有する。排気バルブ４６と制御バルブ４７は配管部６３の途中に配置されている。制御システム５６が駆動部６６に指令をすることで、排気バルブ４６の開閉を行い、制御システム５６が駆動部６７に指令をすることで、制御バルブ４７の開閉を行う。  
【００３８】
電源システム５４は、電池６８と、電源コントロール部６９Ｃと、電源監視部７０を有する。電池６８は、繰り返して充電可能な例えばリチウムイオン電池であるが、特に種類は限定されず、乾電池等でも良い。電池６８の電圧は、電源コントロール部６９Ｃにより制御されて制御システム５６に供給されるとともに、第１ポンプ４４と第２ポンプ４５の駆動電源、音声制御部７１へ供給する電源でもある。電源監視部７０は、電池６８の残量等の監視を行う。また、ＡＣアダプタを用いることで１００Ｖの商用電源を用いることができる。  
【００３９】
音声システム５５は、音声制御部７１と、増幅部７２を有している。音声制御部７１と増幅部７２は、制御システム５６からの指令により制御される。音声制御部７１は、制御システム５６の指令により、音声によるガイダンスデータもしくは音楽データを増幅部７２に送って増幅することで、スピーカ４３は音声によるガイド用のアナウンスと音楽によるガイド用のアナウンスを発生することができる。
【００４０】
次に、上述した電子血圧計１を用いて、血圧測定プログラムの手順に従って、血圧測定を行う例を説明する。
血圧測定プログラムでは、例えば通常モードＭ１、最高血圧モードＭ２、最低血圧モードＭ３を有する。以下に、これらのモードを順番に説明する。
（通常モードＭ１）
図１に示す腕帯部２の本体ケース１１のプレート部材２１０は、すでに説明したように本体ケース１１の軸方向に沿って長くなるように形成されており、腕帯部２は、このプレート部材２１０を用いて、血圧計本体１０のマグネット４０Ｍにより血圧計本体１０の窪み部分４０において磁気的に吸着して結合されている。図３に示すように、測定者は、この腕帯部２を血圧計本体１０の窪み部分４０から、マグネット４０Ｍの磁気的吸引力に抗して持ち上げることで、腕帯部２を血圧計本体１０の窪み部分４０から容易に外すことができる。このように、測定者が血圧測定をする際には、腕帯部２を血圧計本体１０から簡単に取り外すことができる。これにより、血圧計本体１０の設置場所が測定者から離れていても、測定者は座位にて背を伸ばして腹圧の掛からない状態で容易に血圧測定ができる。
【００４１】
好ましくは、このマグネット４０Ｍがプレート部材２１０を磁気的に吸着する力は、例えば血圧計本体１０の重量を超えるように設定することができる。これにより、測定者が電子血圧計１を運ぶ際に血圧計本体１０を持たずに腕帯部２だけを持ち上げてしまった場合に、腕帯部２から血圧計本体１０だけが不用意に落下することを防止できる。
図１に示すように、腕帯部２を血圧計本体１０の窪み部分４０に載置された場合に、開始／停止ボタン３７は腕帯部２の下側に位置しており、測定者が腕帯部２を血圧計本体１０の窪み部分４０から持ち上げて外さないと、開始／停止ボタン３７が外部に露出しないようになっている。これにより、測定者は、腕帯部２を持ち上げて上腕Ｔを通して測定しようとする状態になってから、開始／停止ボタン３７を押すことができるので、測定しない時に不用意に開始／停止ボタン３７を押してしまうといったことが無くなる。
【００４２】
次に、測定者は把持部１１Ｈを把持しながら例えば右の上腕を開口部１１Ｐから開口部１１Ｒにかけて挿入する。測定者が図１に示すモード選択ボタン３９を押して通常モードＭ１を選択した場合には、測定者は図１の開始／停止ボタン３７を押して血圧測定を開始する。図１の第１ポンプ４４と第２ポンプ４５が全速力で空気袋１４を昇圧して、２つのマイクロフォンＭが、測定者の血流音（血管情報）を検知して脈が消滅するまで全速力で腕帯部２内の空気袋１４を昇圧する。制御システム５６が脈の消失を判断したら腕帯部２内の昇圧を停止する。
そして、腕帯部２内を少しずつ減圧（例えば２〜５ｍｍＨｇ／秒）していき、最高血圧値と最低血圧値を検出する。最高血圧値と最低血圧値を図１の表示部３１に表示して、ポンプ４４，４５と排気バルブ４６を作動して腕帯部２内の空気袋１４を急排気する。このように、最高血圧値と最低血圧値を表示部３１に表示できた時点で、腕帯部２内の空気袋１４を急排気することで、測定者の上腕に対する圧迫を即座に解消できるので、測定者への負担を軽減できる。
【００４３】
（最高血圧モードＭ２）
また、測定者は把持部１１Ｈを把持しながら例えば右の上腕を開口部１１Ｐから開口部１１Ｒにかけて挿入する。測定者が図１に示すモード選択ボタン３９を押して最高血圧モードＭ２を選択した場合には、測定者は図１の開始／停止ボタン３７を押して血圧測定を開始する。図１の第１ポンプ４４と第２ポンプ４５が全速力で空気袋１４を昇圧して、２つのマイクロフォンＭが、測定者の血流音を検知して脈が消滅するまで全速力で腕帯部２内の空気袋１４を昇圧する。制御システム５６が脈の消失を判断したら腕帯部２内の空気袋１４の昇圧を停止する。
【００４４】
そして、少しずつ減圧（例えば２〜５ｍｍＨｇ／秒）していき、図１のスピーカ４３が腕帯部２内の空気袋１４を減圧時のカフ値毎に、例えば１０ｍｍＨｇ毎に圧力値を音声によりアナウンスし、最高血圧値だけを検出する。その後、図１のスピーカ４３は最高血圧値と脈拍数を音声によるガイドでアナウンスして、第１ポンプ４４と第２ポンプ４５と排気バルブ４６を作動して腕帯部２内の空気袋１４を急排気する。これにより、最高血圧値と脈拍数を音声によるガイドでアナウンスしながら腕帯部２内を急排気することで、測定者の上腕に対する圧迫を即座に解消できるので、測定者への負担を軽減できる。
【００４５】
（最低血圧モードＭ３）
また、測定者は把持部１１Ｈを把持しながら例えば右の上腕を開口部１１Ｐから開口部１１Ｒにかけて挿入する。その後、測定者が図１に示すモード選択ボタン３９を押して最低血圧モードＭ３を選択した場合には、測定者は図１の開始／停止ボタン３７を押して血圧測定を開始する。少しずつ昇圧（例えば２〜５ｍｍＨｇ／秒）していき、図１のスピーカ４３が腕帯部２内の空気袋１４を昇圧時のカフ値毎に、例えば１０ｍｍＨｇ毎に圧力値を音声アナウンスし、最低血圧値を検出する。その後、脈が消失したら昇圧を停止して、図３のスピーカ４３が最低血圧値を音声によるガイドでアナウンスをするとともに、第１ポンプ４４と第２ポンプ４５と排気バルブ４６を作動して腕帯部２内の空気袋１４を急排気する。
【００４６】
ここで、図５に示す内布カバー１７Ｃを交換する場合には、図１７において、第１キャップ４００は、本体ケース１１の第１開口部１１Ｐの第１周囲部分３４９に対してＧ２方向に回すことで簡単に外すことができ、内布カバー１７Ｃのリング部材１７Ｆの固定を解除できる。同様にして、図１４において、第２キャップ５００は、本体ケース１１の第２開口部１１Ｒの第２周囲部分３５０に対してＧ２方向に回すことで簡単に外すことができ、内布カバー１７Ｃのリング部材１７Ｇの固定を解除できる。従って、内布カバー１７Ｃは本体ケース１１内から簡単に外して交換できる。このように、本発明の各実施形態の電子血圧計では、内布カバーを本体ケース内に確実に固定でき、内布カバーの交換が容易にできる。
【００４７】
本発明の各実施形態の電子血圧計では、測定しようとする時には腕帯部が血圧計本体から簡単に取り外しできるようにする一方、血圧測定をしない時には腕帯部が血圧計本体から脱落しないように固定できる。このため、測定者は電子血圧計を用いて血圧測定をする際に使用勝手を向上できる。
【００４８】
ところで、本発明は上記実施形態に限定されず、種々の変形例を採用することができる。例えば、図示例では、把持部１１Ｈはほぼ扇型であるが、これに限らず任意の形状を採用できる。表示部３１は、例えば液晶表示装置の他に、有機ＥＬ装置、蛍光表示装置等、特に種類は限定されない。
第１開口部１１Ｐ側に対して第１キャップ４００を着脱可能に装着する構造と、第１と第２開口部１１Ｒに対して第１キャップ５００を着脱可能に装着する構造は、同じであるが、これに限らず第１キャップと第２キャップを着脱可能に装着するための構造は変えても良い。
【００４９】
図示した本発明の実施形態では、本体ケース１１の第１周囲部分と第２周囲部分側には、嵌め合い用の凹部が設けられ、第１キャップと第２キャップ側には、嵌め合い用の凸部が設けられている。しかし、逆に、本体ケース１１の第１周囲部分と第２周囲部分側には、嵌め合い用の凸部が設けられ、第１キャップと第２キャップ側には、嵌め合い用の凹部が設けられるようにしても良い。つまり、第１キャップは、第１キャップと筒体の内の一方に形成された凸部と、この凸部を嵌め込むために第１キャップと筒体の内の他方に形成された凹部とにより、筒体に対して着脱可能に固定でき、しかも第２キャップは、第２キャップと筒体の内の一方に形成された凸部と、この凸部を嵌め込むために第２キャップと筒体の内の他方に形成された凹部とにより、筒体に対して着脱可能に固定できる。
上述した本発明の実施形態では、電子血圧計は、血圧測定方式としてリバロッチ・コロトコフ法が用いられ、コロトコフ音（Ｋ音）を検出して血圧測定を行うようになっているが、圧脈波（オシロメトリック法）等の他の血圧測定方式を採用しても良い。
【符号の説明】
【００５０】
１・・・電子血圧計、２・・・腕帯部、１０・・・血圧計本体、１１・・・本体ケース（硬質の筒体の一例）、・・・、１１Ｐ・・・第１開口部、１１Ｒ・・・第２開口部、１６・・・外布、１７Ｃ・・・内布カバー、１７Ｆ、１７Ｇ・・・リング部材（内布カバーの保持部材）、５０・・・コロトコフ音（Ｋ音）検出システム、５１・・・加圧システム、５２・・・排気システム、５３・・・圧力検出システム、５６・・・制御システム（制御部）、３４９・・・第１周囲部分、３５０・・・第２周囲部分、４００・・・第１キャップ、５００・・・第２キャップ、５２０・・・凹部、５５０・・・凸部
【図１】
0005460233.tif 000002
【図２】
0005460233.tif 000003
【図３】
0005460233.tif 000004
【図４】
0005460233.tif 000005
【図５】
0005460233.tif 000006
【図６】
0005460233.tif 000007
【図７】
0005460233.tif 000008
【図８】
0005460233.tif 000009
【図９】
0005460233.tif 000010
【図１０】
0005460233.tif 000011
【図１１】
0005460233.tif 000012
【図１２】
0005460233.tif 000013
【図１３】
0005460233.tif 000014
【図１４】
0005460233.tif 000015
【図１５】
0005460233.tif 000016
【図１６】
0005460233.tif 000017
【図１７】
0005460233.tif 000018
【図１８】
0005460233.tif 000019